(57)【要約】【課題】タッチパネルを用いて、送受信する無線信号の周波数を操作性よく設定することができる無線通信機を提供する。【解決手段】タッチパネル付きディスプレイの周波数表示領域２０には、第１の複数桁の数値を分割した複数の分割領域（運用バンド選択領域２１、バンドメモリ選択領域２２、及び周波数微調整領域２３）ごとに触れられたことを検出するソフトウェアキーが設定されている。制御部は、各分割領域がソフトウェアキーによって触れられたことが検出されたとき、第１の複数桁の数値のうち触れられた分割領域に含まれる桁の数値を、周波数表示領域２０に表示されている数値以外の数値に変更することによって周波数を変更するためのガイド（運用バンド選択ガイド２１Ｇ、バンドメモリ選択ガイド２２Ｇ、または周波数微調整ガイド２３Ｇ）を、周波数表示領域２０に隣接させて表示するよう制御する。【選択図】図３
2020129745.tif 000002
【特許請求の範囲】
【請求項１】
無線信号を送受信する送受信部と、
前記送受信部が送受信する無線信号の周波数を示す第１の複数桁の数値を周波数表示領域に表示するタッチパネル付きディスプレイと、
を備え、
前記周波数表示領域には、前記第１の複数桁の数値を分割した複数の分割領域ごとに触れられたことを検出するソフトウェアキーが設定されており、
前記複数の分割領域の各分割領域が前記ソフトウェアキーによって触れられたことが検出されたとき、前記第１の複数桁の数値のうち触れられた分割領域に含まれる桁の数値を、前記周波数表示領域に表示されている数値以外の数値に変更することによって前記周波数を変更するためのガイドを、前記周波数表示領域に隣接させて表示するよう制御する制御部をさらに備える
無線通信機。
【請求項２】
前記周波数表示領域は、前記複数の分割領域のうちの第１の分割領域として、前記第１の複数桁のうちの最上位側の第２の複数桁の数値である運用バンドを示す運用バンド選択領域を含み、
前記制御部は、前記運用バンド選択領域が前記ソフトウェアキーによって触れられたことが検出されたとき、前記周波数表示領域に表示されている運用バンド以外の複数の運用バンドのうちからいずれかの運用バンドを選択して前記周波数を変更するための運用バンド選択ガイドを、前記周波数表示領域に隣接させて表示するよう制御する
請求項１に記載の無線通信機。
【請求項３】
前記周波数表示領域は、前記複数の分割領域のうちの第２の分割領域として、前記第２の複数桁に続く下位側の第３の複数桁の数値であるバンドメモリを示すバンドメモリ選択領域を含み、
前記制御部は、前記バンドメモリ選択領域が前記ソフトウェアキーによって触れられたことが検出されたとき、前記周波数表示領域に表示されているバンドメモリ以外の、前記送受信部が過去に送受信した周波数における１または複数のバンドメモリのうちからいずれかのバンドメモリを選択して前記周波数を変更するためのバンドメモリ選択ガイドを、前記周波数表示領域に隣接させて表示するよう制御する
請求項２に記載の無線通信機。
【請求項４】
前記周波数表示領域は、前記複数の分割領域のうちの第３の分割領域として、前記第１の複数桁のうちの最下位側の第４の複数桁の数値を示す周波数微調整領域を含み、
前記制御部は、前記周波数微調整領域が前記ソフトウェアキーによって触れられたことが検出されたとき、前記第４の複数桁の数値を増加または減少させるための周波数微調整ガイドを、前記周波数表示領域に隣接させて表示するよう制御する
請求項３に記載の無線通信機。
【請求項５】
前記制御部は、前記第４の複数桁の数値の１０の桁を増加または減少させるためのアップキーまたはダウンキーと、前記第４の複数桁の数値の１の桁を増加または減少させるためのファインアップキーまたはファインダウンキーとを含む周波数微調整ガイドを、前記周波数表示領域に隣接させて表示するよう制御する請求項４に記載の無線通信機。
【請求項６】
前記制御部は、前記送受信部における送信周波数を変更することなく、受信周波数のみを一時的に微調整するためのＲＩＴをオンするＲＩＴオンキーと、前記送受信部における受信周波数を変更することなく、送信周波数のみを一時的に微調整するためのＸＩＴオンキーとを含む周波数微調整ガイドを、前記周波数表示領域に隣接させて表示するよう制御する請求項４または５に記載の無線通信機。
【発明の詳細な説明】
【技術分野】
【０００１】
本発明は、タッチパネルを用いて、送受信する無線信号の周波数を設定する無線通信機に関する。
【背景技術】
【０００２】
無線通信機は、送受信する無線信号の周波数を設定する際に、運用バンドと称されている大まかな周波数帯を選択する機能を有している。無線通信機は、１．８ＭＨｚ帯、３．５ＭＨｚ帯、７ＭＨｚ帯、１０ＭＨｚ帯等の複数の運用バンドの中からいずれかの運用バンドを選択する物理的なキー（ハードウェアキー）を備える。従来の無線通信機は、運用バンドだけでなく、運用バンドよりも細かい周波数を設定する際にも、ハードウェアキーを用いて周波数を設定する。
【先行技術文献】
【特許文献】
【０００３】
【特許文献１】特開２０１４−５３７３６号公報
【特許文献２】特開２０１６−７２８９４号公報
【発明の概要】
【発明が解決しようとする課題】
【０００４】
近年、タッチパネルにソフトウェアキーを表示して電子機器を操作することが多くなっており、無線通信機においてもソフトウェアキーを使用する頻度が増大している（特許文献１または２参照）。無線通信機において、送受信する無線信号の周波数を設定する際に用いられる、運用バンドを選択するためのハードウェアキー等の各種のハードウェアキーをタッチパネルによるソフトウェアキーに置換することが考えられる。
【０００５】
ところが、既存のハードウェアキーを単にソフトウェアキーに置換しただけでは、操作性が向上するとは限らない。ソフトウェアキーを用いることによって、送受信する無線信号の周波数を設定する際の操作性を向上させることが求められる。
【０００６】
本発明は、タッチパネルを用いて、送受信する無線信号の周波数を操作性よく設定することができる無線通信機を提供することを目的とする。
【課題を解決するための手段】
【０００７】
本発明は、無線信号を送受信する送受信部と、前記送受信部が送受信する無線信号の周波数を示す第１の複数桁の数値を周波数表示領域に表示するタッチパネル付きディスプレイとを備え、前記周波数表示領域には、前記第１の複数桁の数値を分割した複数の分割領域ごとに触れられたことを検出するソフトウェアキーが設定されており、前記複数の分割領域の各分割領域が前記ソフトウェアキーによって触れられたことが検出されたとき、前記第１の複数桁の数値のうち触れられた分割領域に含まれる桁の数値を、前記周波数表示領域に表示されている数値以外の数値に変更することによって前記周波数を変更するためのガイドを、前記周波数表示領域に隣接させて表示するよう制御する制御部をさらに備える無線通信機を提供する。
【発明の効果】
【０００８】
本発明の無線通信機によれば、タッチパネルを用いて、送受信する無線信号の周波数を操作性よく設定することができる。
【図面の簡単な説明】
【０００９】
【図１】一実施形態の無線通信機を示すブロック図である。
【図２】一実施形態の無線通信機のタッチパネル付きディスプレイに設定されている周波数表示領域及びＲＩＴ／ＸＩＴ表示領域を示す図である。
【図３】ユーザが周波数表示領域の運用バンド選択領域に触れた場合に表示される運用バンド選択ガイドの一例を示す図である。
【図４】ユーザが図３に示す状態からスワイプ操作によって指を運用バンド選択キー２１Ｇａまで移動させた状態を示す図である。
【図５】ユーザが図４の状態で指を離すことによって周波数表示領域に表示されている周波数が変更された状態を示す図である。
【図６】ユーザが図３に示す状態からスワイプ操作によって指をエンターキー２１Ｇｊまで移動させて離した場合のタッチパネル付きディスプレイの表示例を示す図である。
【図７Ａ】ユーザが周波数表示領域のバンドメモリ選択領域に触れた場合に表示されるバンドメモリ選択ガイドの第１の例を示す図である。
【図７Ｂ】ユーザが周波数表示領域のバンドメモリ選択領域に触れた場合に表示されるバンドメモリ選択ガイドの第２の例を示す図である。
【図８】ユーザが周波数表示領域の周波数微調整領域に触れた場合に表示される周波数微調整ガイドの一例を示す図である。
【図９】図８に示す周波数微調整ガイドによって周波数が微調整される一例を示す図である。
【図１０】図８に示す周波数微調整ガイドによってＲＩＴがオンされて、受信周波数のみが微調整される一例を示す図である。
【図１１】図１０に続けてＲＩＴがオフされた状態を示す図である。
【図１２】ユーザがＲＩＴ／ＸＩＴ表示領域に触れた場合に表示されるＲＩＴ／ＸＩＴ調整ガイドの一例を示す図である。
【図１３】一実施形態の無線通信機において運用バンド選択ガイドが表示されて操作された場合の動作を示すフローチャートである。
【図１４】一実施形態の無線通信機においてバンドメモリ選択ガイドが表示されて操作された場合の動作を示すフローチャートである。
【図１５】一実施形態の無線通信機において周波数微調整ガイドが表示されて操作された場合の動作を示すフローチャートである。
【図１６】一実施形態の無線通信機における電源投入後の周波数表示領域の表示状態の遷移の一例を示す図である。
【発明を実施するための形態】
【００１０】
以下、一実施形態の無線通信機について、添付図面を参照して説明する。一実施形態の無線通信機１００は、図１に示すように構成される。図１において、制御部１は、無線通信機１００の全体を制御する。制御部１は、マイクロコンピュータによって構成することができる。制御部１は、中央処理装置（ＣＰＵ）１ａと、フラッシュＲＯＭ１ｂとを有する。フラッシュＲＯＭ１ｂは、制御部１に内蔵されていなくてもよく、制御部１に対して外付けされていてもよい。フラッシュＲＯＭ１ｂには、後述する運用バンド情報が記憶されている。
【００１１】
制御部１には、ＤＳＰ（Digital Signal Processor）４が接続されている。ＤＳＰ４には、送受信部２とマイクロホン５とスピーカ６が接続されている。送受信部２には、電波を送受信するためのアンテナ３が接続されている。送受信部２は、送信部と受信部とが一体的に構成された回路ブロックである。送受信部２は、半二重通信方式で他の無線通信機へと音声データを含む送信データを送信する。送受信部２は、半二重通信方式で他の無線通信機が送信した音声データを含む送信データを受信する。
【００１２】
送受信部２が受信したデータはＤＳＰ４に供給される。ＤＳＰ４は、受信したデータを復調及び復号する。ＤＳＰ４は、受信したデータのうち音声データを復調及び復号することによって生成した音声信号をスピーカ６に供給する。マイクロホン５は、無線通信機１００のユーザが発した音声を収音して音声信号に変換し、音声信号をＤＳＰ４に供給する。ＤＳＰ４は、入力された音声信号に帯域制限等の各種の処理を施して変調波を生成して、送受信部２に供給する。送受信部２は、ＤＳＰ４から供給された変調波により搬送波を変調して、アンテナ３を介して送信する。
【００１３】
制御部１には、さらに、ＲＯＭ７、タッチパネルコントローラ８、不揮発性メモリ１０、ＰＴＴ（Push To Talk）スイッチ１１、操作部１２が接続されている。タッチパネルコントローラ８には、タッチパネル付きディスプレイ９（以下、ディスプレイ９と略記する）が接続されている。タッチパネル付きディスプレイ９は、画像を表示する表示パネルの前面にタッチパネルが貼り合わされることによって構成されている。表示パネルの全面にタッチパネルが貼り合わされている必要はなく、表示パネルの前面のソフトウェアキーを表示する領域のみにタッチパネルが貼り合わされていてもよい。
【００１４】
ＲＯＭ７には、制御部１（ＣＰＵ１ａ）が後述するようにディスプレイ９にソフトウェアキーを表示し、ソフトウェアキーの操作によって送受信する無線信号の周波数を設定するためのコンピュータプログラムが記憶されている。ＲＯＭ７は、制御部１に内蔵されていてもよい。
【００１５】
タッチパネルコントローラ８は、制御部１による制御に基づいて、ディスプレイ９に各種の画像を表示するよう制御する。即ち、タッチパネルコントローラ８は、ディスプレイ９に画像を表示する画像表示コントローラとしても機能する。ユーザが指等によってタッチパネルに触れたとき、タッチパネルコントローラ８は、指等が触れた接触位置を検出して接触位置を示す検出信号を制御部１に供給する。これによって、制御部１は、ソフトウェアキーにおける触れられた位置のキーに対応して無線通信機１００を制御することができる。
【００１６】
不揮発性メモリ１０には、後述するバンドメモリ情報が記憶されている。バンドメモリ情報は、運用バンドよりも細かい周波数を設定する情報の１つである。不揮発性メモリ１０は、例えば、EEPROM（Electrically Erasable Programmable Read Only Memory）である。ユーザが発話して音声信号を送信するとき、ユーザはＰＴＴスイッチ１１を押す。制御部１は、ＰＴＴスイッチ１１が押されていない状態では無線通信機１００を受信待機状態とし、ＰＴＴスイッチ１１が押されている状態では無線通信機１００を送信状態とする。操作部１２は、各種のハードウェアキーを含む。
【００１７】
図１において、白抜きの矢印は、構成要素間を接続するバスを示している。バスの代わりに通常の信号接続線を用いることがあってもよい。
【００１８】
図２に示すように、ディスプレイ９のソフトウェアキーを表示する領域における周波数表示領域２０には、無線通信機１００に現在設定されている、送受信部２が無線信号を送受信する周波数が表示されている。図２に示す例では、周波数表示領域２０に、１４．００００００ＭＨｚであることを示す１４．０００．０００と表示されている。周波数表示領域２０は、ソフトウェアキーとして３つの分割領域に分割されている。３つの分割領域は、周波数の最上位桁側から、第１の分割領域である運用バンド選択領域２１、第２の分割領域であるバンドメモリ選択領域２２、第３の分割領域である周波数微調整領域２３を含む。
【００１９】
周波数表示領域２０に表示されている周波数が第１の複数桁の数値であるとすると、運用バンド選択領域２１は、第１の複数桁のうちの最上位側の第２の複数桁の数値である運用バンドを示す。バンドメモリ選択領域２２は、第２の複数桁に続く下位側の第３の複数桁の数値であるバンドメモリを示す。周波数微調整領域２３は、第１の複数桁のうちの最下位側の第４の複数桁の数値を示す。なお、運用バンド選択領域２１、バンドメモリ選択領域２２、周波数微調整領域２３を囲む破線の枠は、領域を示すために便宜上記載しているものであり、ディスプレイ９に実際に表示されているわけではない。
【００２０】
周波数微調整領域２３の右上方には、ＲＩＴ／ＸＩＴ表示領域３０が設定されている。ＲＩＴ／ＸＩＴ表示領域３０には、送信周波数を変更することなく、受信周波数のみを一時的に微調整するためのＲＩＴ（Receiver Incremental Tuning）と称される機能の調整値、または、受信周波数を変更することなく、送信周波数のみを一時的に微調整するためのＸＩＴ（Transmission Incremental Tuning）と称される機能の調整値が表示される。ＲＩＴまたはＸＩＴをオンしていない状態では、ＲＩＴ／ＸＩＴ表示領域３０にはＲＩＴまたはＸＩＴ機能が非アクティブであることを示すグレーで調整値が表示されている。ＲＩＴまたはＸＩＴをオンしている状態では、ＲＩＴ／ＸＩＴ表示領域３０にはＲＩＴまたはＸＩＴ機能がアクティブであることを示すグレー以外の色（例えば黒）で調整値が表示される。
【００２１】
ＲＩＴ／ＸＩＴ表示領域３０は、ソフトウェアキーとして設定された領域でなくてもよい。後述するように、ＲＩＴ／ＸＩＴ表示領域３０をソフトウェアキーとして設定された領域としてもよい。
【００２２】
まず、ユーザが指で運用バンド選択領域２１に触れたとき、ＣＰＵ１ａによる処理によって無線通信機１００がどのように動作するかについて説明する。図３に示すように、ユーザが指で運用バンド選択領域２１に触れると、ＣＰＵ１ａは、ディスプレイ９に、周波数表示領域２０に隣接させて運用バンド選択ガイド２１Ｇを表示させる。運用バンド選択ガイド２１Ｇは、ソフトウェアキーとして設定された、運用バンド選択キー２１Ｇａ〜２１Ｇｉ及びエンターキー２１Ｇｊを含む。ＣＰＵ１ａは、フラッシュＲＯＭ１ｂに記憶されている運用バンド情報に基づいて運用バンド選択キー２１Ｇａ〜２１Ｇｉを表示させる。
【００２３】
図３に示す例では、周波数表示領域２０に表示されている運用バンドが１４ＭＨｚ帯であるから、ＣＰＵ１ａは、運用バンド情報のうち１４ＭＨｚ帯以外の運用バンドを選択するための運用バンド選択キー２１Ｇａ〜２１Ｇｉをディスプレイ９に表示させている。図３に示すように、ＣＰＵ１ａは、１４ＭＨｚ帯よりも周波数が低い運用バンドの運用バンド選択キー２１Ｇａ〜２１Ｇｄを運用バンド選択領域２１の上方に表示させている。また、ＣＰＵ１ａは、１４ＭＨｚ帯よりも周波数が高い運用バンドの運用バンド選択キー２１Ｇｅ〜２１Ｇｉを運用バンド選択領域２１の下方に表示させている。
【００２４】
周波数表示領域２０に表示されている運用バンドが１．８ＭＨｚ帯であれば、１．８ＭＨｚ帯以外の運用バンドを選択するための全ての運用バンド選択キーが運用バンド選択領域２１の下方に表示される。周波数表示領域２０に表示されている運用バンドが５０ＭＨｚ帯であれば、５０ＭＨｚ帯以外の運用バンドを選択するための全ての運用バンド選択キーが運用バンド選択領域２１の上方に表示される。
【００２５】
ＣＰＵ１ａは、運用バンド選択領域２１に触れた指を運用バンド選択領域２１上で離したとき、または、指をタッチパネルに触れながら移動させるスワイプ操作によって運用バンド選択ガイド２１Ｇ以外の領域に移動させたとき、運用バンド選択ガイド２１Ｇの表示を消去する。
【００２６】
図４に示すように、ユーザが、運用バンド選択領域２１に触れた指をスワイプ操作によって運用バンド選択キー２１Ｇａまで移動させて指を離したとする。すると、ＣＰＵ１ａは、図５に示すように、周波数表示領域２０に表示されている周波数を、運用バンド選択キー２１Ｇａに対応する１．８ＭＨｚ帯の周波数に変更し、送受信する周波数を新たに周波数表示領域２０に表示された周波数に変更する。
【００２７】
不揮発性メモリ１０には、各運用バンドに対応して、バンドメモリ選択領域２２に表示される桁の数値の履歴であるバンドメモリ情報が記憶されている。例えば、１．８ＭＨｚ帯の周波数として、過去に１８．１０００００ＭＨｚ、１８．２０００００ＭＨｚ、１８．３０００００ＭＨｚの周波数が使用されたことがあり、不揮発性メモリ１０には、バンドメモリ１００、２００、３００がバンドメモリ情報として記憶されているとする。１８．３０００００ＭＨｚが最も直近に使用された周波数であるとする。
【００２８】
ＣＰＵ１ａは、最新のバンドメモリを選択して、周波数表示領域２０に表示する周波数を変更し、送受信する周波数を変更する。
【００２９】
図３または図４に示すエンターキー２１Ｇｊは、ユーザが周波数を直接的に入力するためのキーである。図６に示すように、ユーザがスワイプ操作によってエンターキー２１Ｇｊに触れて離すと、ＣＰＵ１ａは、周波数表示領域２０における周波数の各桁の数値をハイフンに置換し、周波数表示領域２０の近傍にテンキー４０を表示させる。テンキー４０は、０から９までの数字キーと、消去キー、確定キーとを備える。ユーザは、テンキー４０によって周波数を直接的に入力することができる。入力した数字を修正したい場合、消去キーにより直前に入力した数字が消去される。数字の入力後、ＣＰＵ１ａは、テンキー４０を消去してもよいし、所定時間の経過後にテンキー４０を消去してもよいし、確定キーの操作によってテンキー４０を消去してもよい。
【００３０】
次に、ユーザが指でバンドメモリ選択領域２２に触れたとき、ＣＰＵ１ａによる処理によって無線通信機１００がどのように動作するかについて説明する。図７Ａに示すように、ユーザが指でバンドメモリ選択領域２２に触れると、ＣＰＵ１ａは、ディスプレイ９に、周波数表示領域２０に隣接させてバンドメモリ選択ガイド２２Ｇを表示させる。図７Ａに示す例では、周波数表示領域２０に現在設定されている周波数１４．００００００ＭＨｚに対応して１４．０００．０００と表示されている。１．４ＭＨｚ帯の周波数として、１４．００００００ＭＨｚの他に、過去に１４．１０００００ＭＨｚ及び１４．１５００００ＭＨｚの周波数が使用されたことがあるとする。不揮発性メモリ１０には、１．４ＭＨｚ帯のバンドメモリ０００、１００、１５０がバンドメモリ情報として記憶されている。
【００３１】
この場合、１４．１０００００ＭＨｚ及び１４．１５００００ＭＨｚは周波数表示領域２０に表示されている１４．００００００ＭＨｚよりも高い。そこで、ＣＰＵ１ａは、周波数表示領域２０の下方に、１．４ＭＨｚ帯の他の２つの周波数選択キー２２Ｇａ及び２２Ｇｂを表示させている。周波数選択キー２２Ｇａ及び２２Ｇｂは、ソフトウェアキーとして設定されている。周波数選択キー２２Ｇａ及び２２Ｇｂは、周波数を示す数値の他に通信モードの一例であるＵＳＢなる文字を含む。通信モードを示す文字は表示されなくてもよい。
【００３２】
図７Ｂに示す例は、現在設定されている周波数が１４．１５００００ＭＨｚであって、ユーザが指でバンドメモリ選択領域２２に触れた場合を示している。この場合、１４．００００００ＭＨｚ及び１４．１０００００ＭＨｚは周波数表示領域２０に表示されている１４．１５００００ＭＨｚよりも低いため、ＣＰＵ１ａは、周波数表示領域２０の上方に、バンドメモリ選択ガイド２２Ｇとして、１．４ＭＨｚ帯の他の２つの周波数選択キー２２Ｇａ及び２２Ｇｃを表示させている。周波数選択キー２２Ｇａ及び２２Ｇｃは、ソフトウェアキーとして設定されている。
【００３３】
なお、周波数選択キー２２Ｇａ、２２Ｇｂ、及び２２Ｇｃは、周波数表示領域２０に表示されているバンドメモリ以外のバンドメモリを含む周波数の選択肢であり、バンドメモリの数値だけでなく、周波数の全体の数値を含むことから、周波数選択キーと称している。周波数の全体の数値の代わりに、バンドメモリの数値のみの選択肢としてもよい。この場合は、周波数選択キーの代わりにバンドメモリ選択キーとなる。
【００３４】
ＣＰＵ１ａは、バンドメモリ選択領域２２に触れた指をバンドメモリ選択領域２２上で離したとき、または、スワイプ操作によってバンドメモリ選択ガイド２２Ｇ以外の領域に移動させたとき、バンドメモリ選択ガイド２２Ｇの表示を消去する。ユーザがバンドメモリ選択ガイド２２Ｇに触れた指をスワイプ操作によって周波数選択キー２２Ｇａもしくは２２Ｇｂ、または、２２ＧａもしくはＧｃまで移動させて指を離したとする。すると、ＣＰＵ１ａは、周波数表示領域２０に表示されている周波数及び送受信する周波数を、指を離した位置の周波数選択キーの周波数に変更する。
【００３５】
さらに、ユーザが指で周波数微調整領域２３に触れたとき、ＣＰＵ１ａによる処理によって無線通信機１００がどのように動作するかについて説明する。図８に示すように、ユーザが指で周波数微調整領域２３に触れると、ＣＰＵ１ａは、ディスプレイ９に、周波数表示領域２０に隣接させて周波数微調整ガイド２３Ｇを表示させる。周波数微調整ガイド２３Ｇは、ソフトウェアキーとして設定された、アップキー２３Ｇａ、ダウンキー２３Ｇｂ、ファインアップキー２３Ｇｃ、ファインダウンキー２３Ｇｄ、ＲＩＴオンキー２３Ｇｅ、ＸＩＴオンキー２３Ｇｆ、オフキー２３Ｇｇを含む。
【００３６】
図８において、ＣＰＵ１ａは、周波数微調整領域２３に触れた指を周波数微調整領域２３上で離しても周波数微調整ガイド２３Ｇの表示を消去せず、指を周波数微調整領域２３から離した後に再び周波数微調整領域２３に触れたら、周波数微調整ガイド２３Ｇの表示を消去する。
【００３７】
アップキー２３Ｇａ及びダウンキー２３Ｇｂは、周波数の１０の桁を増加または減少させるためのソフトウェアキーである。即ち、アップキー２３Ｇａ及びダウンキー２３Ｇｂは、周波数を１０Ｈｚ単位で増加または減少させるソフトウェアキーである。ファインアップキー２３Ｇｃ及びファインダウンキー２３Ｇｄは、周波数の１の桁を増加または減少させるためのソフトウェアキーである。即ち、ファインアップキー２３Ｇｃ及びファインダウンキー２３Ｇｄは、周波数を１Ｈｚ単位で増加または減少させるためのソフトウェアキーである。
【００３８】
ＲＩＴオンキー２３ＧｅはＲＩＴをオンするソフトウェアキーであり、ＸＩＴオンキー２３ＧｆはＸＩＴをオンするソフトウェアキーである。オフキー２３Ｇｇは、ＲＩＴ及びＸＩＴをオフするソフトウェアキーである。ＲＩＴオンキー２３Ｇｅ、ＸＩＴオンキー２３Ｇｆ、オフキー２３Ｇｇを設けることは必須ではないが、設けることが好ましい。
【００３９】
図９に示すように、周波数表示領域２０に１４．０００．０００と表示されている状態でユーザがアップキー２３Ｇａを１回操作すると、周波数が１０Ｈｚ増加して１４．０００．０１０となる。１回操作とは１回触れるということである。続けて、ユーザがアップキー２３Ｇａを１回操作すると、周波数が１０Ｈｚ増加して１４．０００．０２０となる。
【００４０】
さらに、ユーザがファインアップキー２３Ｇｃを１回操作すると、周波数が１Ｈｚ増加して１４．０００．０２１となる。続けて、ユーザがファインアップキー２３Ｇｃを１回操作すると、周波数が１Ｈｚ増加して１４．０００．０２２となる。ユーザがダウンキー２３Ｇｂまたはファインダウンキー２３Ｇｄを操作した場合には、周波数が１０Ｈｚまたは１Ｈｚ減少する。このように、ユーザは、アップキー２３Ｇａ、ダウンキー２３Ｇｂ、ファインアップキー２３Ｇｃ、またはファインダウンキー２３Ｇｄを必要回数だけ触れることによって、周波数を微調整して所望の周波数に設定することができる。
【００４１】
図１０に示すように、ユーザがＲＩＴオンキー２３Ｇｅを操作すると、ＣＰＵ１ａは、ＲＩＴをオンに設定し、グレーで表示されていたＲＩＴ／ＸＩＴ表示領域３０の調整値をアクティブであることを示す黒に変更する。これに併せて、ＣＰＵ１ａは、ＲＩＴ／ＸＩＴ表示領域３０の近傍に、ＲＩＴがオンされていることを示す“ＲＩＴ”の文字よりなるインジケータ３０ｒを表示する。周波数表示領域２０に表示されている周波数は１４．００００００ＭＨｚであり、ＲＩＴ／ＸＩＴ表示領域３０の調整値は、０．０００であるとする。
【００４２】
なお、操作部１２がＲＩＴ／ＸＩＴ調整値設定用のエンコーダを操作するためのつまみ等の操作キーを備える場合には、ＲＩＴまたはＸＩＴ機能が非アクティブであっても、その操作キーを操作することによってＲＩＴ／ＸＩＴ表示領域３０の調整値を変更可能としてもよい。
【００４３】
この状態でユーザがファインアップキー２３Ｇｃを１回操作すると、ＲＩＴ／ＸＩＴ表示領域３０の調整値が１Ｈｚ増加して０．００１となり、周波数表示領域２０に表示されている周波数に１Ｈｚが加算される。ＣＰＵ１ａは、送信周波数を変えることなく、受信周波数のみを１Ｈｚ増加させて、１４．０００００１Ｈｚとする。続けて、ユーザがファインアップキー２３Ｇｃを１回操作すると、ＲＩＴ／ＸＩＴ表示領域３０の調整値がさらに１Ｈｚ増加して０．００２となり、周波数表示領域２０に表示されている周波数にさらに１Ｈｚが加算される。ＣＰＵ１ａは、受信周波数のみをさらに１Ｈｚ増加させて、１４．０００００２Ｈｚとする。
【００４４】
図１１に示すように、ユーザがオフキー２３Ｇｇを操作すると、ＣＰＵ１ａは、ＲＩＴをオフに設定し、黒で表示されていたＲＩＴ／ＸＩＴ表示領域３０の調整値をグレーに変更し、インジケータ３０ｒを消去する。これに併せて、ＣＰＵ１ａは、周波数表示領域２０に表示されている受信周波数を元の１４．００００００ＭＨｚに戻す。
【００４５】
図１０において、ＲＩＴがオンに設定されている状態でファインダウンキー２３Ｇｄが操作されれば、ＣＰＵ１ａは受信周波数を１Ｈｚ単位で減少させる。ＲＩＴがオンに設定されている状態でアップキー２３Ｇａが操作されれば、ＣＰＵ１ａは受信周波数を１０Ｈｚ単位で増加させ、ＲＩＴがオンに設定されている状態でダウンキー２３Ｇｂが操作されれば、ＣＰＵ１ａは受信周波数を１０Ｈｚ単位で減少させる。
【００４６】
同様に、ユーザがＸＩＴオンキー２３Ｇｆを操作すると、ＣＰＵ１ａは、ＸＩＴをオンに設定し、ＲＩＴ／ＸＩＴ表示領域３０の近傍に、ＸＩＴがオンされていることを示す“ＸＩＴ”の文字よりなるインジケータを表示する。ＸＩＴがオンに設定されている状態でファインアップキー２３Ｇｃまたはファインダウンキー２３Ｇｄが操作されれば、ＣＰＵ１ａは、受信周波数を変えることなく送信周波数のみを１Ｈｚ単位で増加または減少させる。ＸＩＴがオンに設定されている状態でアップキー２３Ｇａまたはダウンキー２３Ｇｂが操作されれば、ＣＰＵ１ａは、送信周波数のみを１０Ｈｚ単位で増加または減少させる。
【００４７】
ユーザは、ＲＩＴオンキー２３Ｇｅを操作してＲＩＴをオンし、かつ、ＸＩＴオンキー２３Ｇｆを操作してＸＩＴをオンすることができる。この場合には、“ＲＩＴ”の文字よりなるインジケータ３０ｒ及び“ＸＩＴ”の文字よりなるインジケータが同時に表示される。ＣＰＵ１ａは、受信周波数及び送信周波数を同時に一時的に微調整する。
【００４８】
ＲＩＴ／ＸＩＴ表示領域３０がソフトウェアキーとして設定された領域である場合、ユーザが指でＲＩＴ／ＸＩＴ表示領域３０に触れたとき、図１２に示すように、ＲＩＴ／ＸＩＴ調整ガイド３０Ｇが表示されるように構成されていてもよい。ＲＩＴ／ＸＩＴ調整ガイド３０Ｇは、ソフトウェアキーとして設定された、アップキー３０Ｇａ、ダウンキー３０Ｇｂ、ファインアップキー３０Ｇｃ、ファインダウンキー３０Ｇｄ、ＲＩＴオンキー３０Ｇｅ、ＸＩＴオンキー３０Ｇｆ、オフキー３０Ｇｇを含む。
【００４９】
アップキー３０Ｇａ、ダウンキー３０Ｇｂ、ファインアップキー３０Ｇｃ、ファインダウンキー３０Ｇｄ、ＲＩＴオンキー３０Ｇｅ、ＸＩＴオンキー３０Ｇｆ、オフキー３０Ｇｇの役割は、周波数微調整ガイド２３Ｇのアップキー２３Ｇａ、ダウンキー２３Ｇｂ、ファインアップキー２３Ｇｃ、ファインダウンキー２３Ｇｄ、ＲＩＴオンキー２３Ｇｅ、ＸＩＴオンキー２３Ｇｆ、オフキー２３Ｇｇと同様である。
【００５０】
ＲＩＴ／ＸＩＴ表示領域３０に触れることによるＲＩＴまたはＸＩＴの調整を、周波数表示領域２０に触れることによる周波数の変更または調整から独立させることによって、周波数表示領域２０に表示された周波数に影響を与えることなく、ＲＩＴまたはＸＩＴの調整値を増加または減少させることができる。図１２においては、ＲＩＴまたはＸＩＴ機能が非アクティブであっても、ＲＩＴまたはＸＩＴの調整値は変更可能とされる。
【００５１】
図１３を用いて、図３で説明したように運用バンド選択ガイド２１Ｇが表示されて操作された場合の無線通信機１００の動作を説明する。図１３においては、エンターキー２１Ｇｊが触れられた場合の動作を省略している。
【００５２】
図１３において、無線通信機１００が動作を開始すると、制御部１（ＣＰＵ１ａ）は、ステップＳ１にて、運用バンド選択領域２１が触れられたか否かを判定する。運用バンド選択領域２１が触れられれば（YES）、制御部１は、ステップＳ２にて、運用バンド選択ガイド２１Ｇを表示する。制御部１は、ステップＳ３にて、運用バンド選択領域２１への接触が解除されたか否かを判定する。運用バンド選択領域２１への接触が解除されれば（YES）、制御部１は処理をステップＳ７に移行させる。制御部１は、ステップＳ７にて、運用バンド選択ガイド２１Ｇの表示を消去して、処理をステップＳ１に戻す。
【００５３】
ステップＳ３にて運用バンド選択領域２１への接触が解除されなければ（NO）、制御部１は、ステップＳ４にて、スワイプ操作によっていずれかのバンド選択キーが触れられたか否かを判定する。いずれかのバンド選択キーが触れられなければ（NO）、制御部１は、ステップＳ３及びＳ４の処理を繰り返す。いずれかのバンド選択キーが触れられれば（YES）、制御部１は、ステップＳ５にて、接触が解除されたか否かを判定する。接触が解除されなければ（NO）、制御部１は、ステップＳ４及びＳ５の処理を繰り返す。
【００５４】
ステップＳ５にて接触が解除されれば（YES）、制御部１は、ステップＳ６にて、周波数表示領域２０に表示されている周波数を、接触を解除した位置のバンド選択キーに対応する周波数に変更し、送受信部２が送受信する無線信号の周波数を変更する。続けて、制御部１は、ステップＳ７にて、運用バンド選択ガイド２１Ｇの表示を消去して、処理をステップＳ１に戻す。
【００５５】
一方、ステップＳ１にて運用バンド選択領域２１が触れられなければ（NO）、制御部１は、処理を図１４のステップＳ１１に移行させる。図１４において、制御部１は、ステップＳ１１にて、バンドメモリ選択領域２２が触れられたか否かを判定する。バンドメモリ選択領域２２が触れられれば（YES）、制御部１は、ステップＳ１２にて、バンドメモリ選択ガイド２２Ｇを表示する。制御部１は、ステップＳ１３にて、バンドメモリ選択領域２２への接触が解除されたか否かを判定する。バンドメモリ選択領域２２への接触が解除されれば（YES）、制御部１は処理をステップＳ１７に移行させる。制御部１は、ステップＳ１７にて、バンドメモリ選択ガイド２２Ｇの表示を消去して、処理をステップＳ１１に戻す。
【００５６】
ステップＳ１３にてバンドメモリ選択領域２２への接触が解除されなければ（NO）、制御部１は、ステップＳ１４にて、スワイプ操作によっていずれかの周波数選択キーが触れられたか否かを判定する。いずれかの周波数選択キーが触れられなければ（NO）、制御部１は、ステップＳ１３及びＳ１４の処理を繰り返す。いずれかの周波数選択キーが触れられれば（YES）、制御部１は、ステップＳ１５にて、接触が解除されたか否かを判定する。接触が解除されなければ（NO）、制御部１は、ステップＳ１４及びＳ１５の処理を繰り返す。
【００５７】
ステップＳ１５にて接触が解除されれば（YES）、制御部１は、ステップＳ１６にて、周波数表示領域２０に表示されている周波数を、接触を解除した位置の周波数選択キーに対応する周波数に変更し、送受信部２が送受信する無線信号の周波数を変更する。続けて、制御部１は、ステップＳ１７にて、バンドメモリ選択ガイド２２Ｇの表示を消去して、処理をステップＳ１１に戻す。
【００５８】
一方、ステップＳ１１にてバンドメモリ選択領域２２が触れられなければ（NO）、制御部１は、処理を図１５のステップＳ２０１に移行させる。
【００５９】
図１５において、制御部１は、ステップＳ２０１にて、周波数微調整領域２３が触れられたか否かを判定する。周波数微調整領域２３が触れられれば（YES）、制御部１は、ステップＳ２０２にて、周波数微調整ガイド２３Ｇを表示する。制御部１は、ステップＳ２０３にて、周波数微調整領域２３が再び触れられたか否かを判定する。周波数微調整領域２３が再び触れられれば（YES）、制御部１は処理をステップＳ２１４に移行させる。制御部１は、ステップＳ２１４にて、周波数微調整ガイド２３Ｇの表示を消去して、処理を図１３のステップＳ１に戻す。
【００６０】
ステップＳ２０３にて周波数微調整領域２３が再び触れられなければ（NO）、制御部１は、ステップＳ２０４にて、アップキー２３Ｇａまたはダウンキー２３Ｇｂが触れられたか否かを判定する。アップキー２３Ｇａまたはダウンキー２３Ｇｂが触れられれば（YES）、制御部１は、ステップＳ２０５にて、触れられた回数ごとに１０Ｈｚだけ周波数を増加または減少させ、処理をステップＳ２０３に戻す。
【００６１】
ステップＳ２０４にてアップキー２３Ｇａまたはダウンキー２３Ｇｂが触れられなければ（NO）、制御部１は、ステップＳ２０６にて、ファインアップキー２３Ｇｃまたはファインダウンキー２３Ｇｄが触れられたか否かを判定する。ファインアップキー２３Ｇｃまたはファインダウンキー２３Ｇｄが触れられれば（YES）、制御部１は、ステップＳ２０７にて、触れられた回数ごとに１Ｈｚだけ周波数を増加または減少させ、処理をステップＳ２０３に戻す。
【００６２】
ステップＳ２０６にてファインアップキー２３Ｇｃまたはファインダウンキー２３Ｇｄが触れられなければ（NO）、制御部１は、ステップＳ２０８にて、ＲＩＴオンキー２３Ｇｅが触れられたか否かを判定する。ＲＩＴオンキー２３Ｇｅが触れられれば（YES）、制御部１は、ステップＳ２０９にて、ＲＩＴをオンに設定して、処理をステップＳ２０３に戻す。
【００６３】
ＲＩＴがオンに設定されている状態で、アップキー２３Ｇａまたはダウンキー２３Ｇｂが触れられれば、制御部１は、ステップＳ２０５にて、ＲＩＴの調整値を触れられた回数ごとに１０Ｈｚだけ周波数を増加または減少させ、処理をステップＳ２０３に戻す。ＲＩＴがオンに設定されている状態で、ファインアップキー２３Ｇｃまたはファインダウンキー２３Ｇｄが触れられれば、制御部１は、ステップＳ２０７にて、ＲＩＴの調整値を触れられた回数ごとに１Ｈｚだけ周波数を増加または減少させ、処理をステップＳ２０３に戻す。
【００６４】
ステップＳ２０８にてＲＩＴオンキー２３Ｇｅが触れられなければ（NO）、制御部１は、ステップＳ２１０にて、ＸＩＴオンキー２３Ｇｆが触れられたか否かを判定する。ＸＩＴオンキー２３Ｇｆが触れられれば（YES）、制御部１は、ステップＳ２１１にて、ＸＩＴをオンに設定して、処理をステップＳ２０３に戻す。
【００６５】
ＸＩＴがオンに設定されている状態で、アップキー２３Ｇａまたはダウンキー２３Ｇｂが触れられれば、制御部１は、ステップＳ２０５にて、ＸＩＴの調整値を触れられた回数ごとに１０Ｈｚだけ周波数を増加または減少させ、処理をステップＳ２０３に戻す。ＸＩＴがオンに設定されている状態で、ファインアップキー２３Ｇｃまたはファインダウンキー２３Ｇｄが触れられれば、制御部１は、ステップＳ２０７にて、ＸＩＴの調整値を触れられた回数ごとに１Ｈｚだけ周波数を増加または減少させ、処理をステップＳ２０３に戻す。
【００６６】
ステップＳ２１０にてＸＩＴオンキー２３Ｇｆが触れられなければ（NO）、制御部１は、ステップＳ２１２にて、オフキー２３Ｇｇが触れられたか否かを判定する。オフキー２３Ｇｇが触れられれば（YES）、制御部１は、ステップＳ２１３にて、ＲＩＴ及びＸＩＴをオフに設定して、処理をステップＳ２０３に戻す。オフキー２３Ｇｇが触れられなければ（NO）、制御部１は、処理をステップＳ２０３に戻す。
【００６７】
図１３〜図１５に示す処理は、無線通信機１００の電源が切断されない限り繰り返される。図１３〜図１５に示す処理によって、運用バンド選択ガイド２１Ｇ、バンドメモリ選択ガイド２２Ｇ、または周波数微調整ガイド２３Ｇを操作して、周波数表示領域２０に表示されている数値以外の数値に変更して周波数を変更することができる。本実施形態の無線通信機１００によれば、タッチパネルを用いて、送受信する無線信号の周波数を操作性よく設定することができる。
【００６８】
前述のように、周波数表示領域２０には、運用バンド選択領域２１、バンドメモリ選択領域２２、周波数微調整領域２３を囲む枠は表示されていない。これは、運用バンド選択領域２１、バンドメモリ選択領域２２、周波数微調整領域２３を囲む枠を表示すると、ユーザが周波数表示領域２０に表示された周波数を視認する際の妨げとなる可能性があるからである。一方で、運用バンド選択領域２１、バンドメモリ選択領域２２、周波数微調整領域２３にソフトウェアキーが設定されていて、ユーザが各領域に触れることによって、運用バンドを選択したり、バンドメモリを選択したり、周波数を微調整したりすることができることを認識しやすい方がよい。
【００６９】
そこで、図１６に示すように、無線通信機１００の電源投入後の所定の短時間だけ、制御部１は、運用バンド選択領域２１、バンドメモリ選択領域２２、周波数微調整領域２３をそれぞれ囲む枠２１０、２２０、２３０を表示するのがよい。また、制御部１は、枠２１０、２２０、２３０内に、“周波数バンド”、“バンドメモリ”、“周波数微調整”のような文字を表示するのがよい。枠２１０、２２０、２３０の表示時間は例えば３秒である。
【００７０】
図１６に示すように、制御部１は、枠２１０、２２０、２３０及び文字を電源投入後の短時間表示した後に枠２１０、２２０、２３０及び文字を消去して、周波数表示領域２０に周波数を表示させる。
【００７１】
このようにすれば、ユーザは、周波数表示領域２０が３つの領域に分割されていることを認識でき、各領域の意味を理解できる。また、ユーザは、周波数表示領域２０に表示された周波数を良好に視認できる。
【００７２】
枠２１０、２２０、２３０及び文字を消去した後に、周波数に代えて枠２１０、２２０、２３０及び文字を表示させるソフトウェアキーを設けてもよい。このようなソフトウェアキーを設ければ、ユーザは、いつでも、周波数表示領域２０がどのように分割されていて、各分割領域がどのような意味を有するかを確認することができる。
【００７３】
本発明は以上説明した本実施形態に限定されるものではなく、本発明の要旨を逸脱しない範囲において種々変更可能である。図３及び図４に示す運用バンド選択ガイド２１Ｇ、図７Ａ及び図７Ｂに示すバンドメモリ選択ガイド２２Ｇの操作においては、スワイプ操作させた指を離すことを決定の操作としている。１回目に触れたときに運用バンド選択ガイド２１Ｇまたはバンドメモリ選択ガイド２２Ｇを表示させ、２回目に触れることを決定の操作としてもよい。タッチパネルの操作の仕方は種々考えられ、タッチパネルの操作の仕方は限定されるものではない。
【符号の説明】
【００７４】
１  制御部
１ａ  中央処理装置（ＣＰＵ）
１ｂ  フラッシュＲＯＭ
２  送受信部
３  アンテナ
４  ＤＳＰ
５  マイクロホン
６  スピーカ
７  ＲＯＭ
８  タッチパネルコントローラ
９  タッチパネル付きディスプレイ
１０  不揮発性メモリ
１１  ＰＴＴスイッチ
１２  操作部
２０  周波数表示領域
２１  運用バンド選択領域
２１Ｇ  運用バンド選択ガイド
２２  バンドメモリ選択領域
２２Ｇ  バンドメモリ選択ガイド
２３  周波数微調整領域
２３Ｇ  周波数微調整ガイド
３０  ＲＩＴ／ＸＩＴ表示領域
３０Ｇ  ＲＩＴ／ＸＩＴ調整ガイド
１００  無線通信機
【図１】
2020129745.tif 000003
【図２】
2020129745.tif 000004
【図３】
2020129745.tif 000005
【図４】
2020129745.tif 000006
【図５】
2020129745.tif 000007
【図６】
2020129745.tif 000008
【図７Ａ】
2020129745.tif 000009
【図７Ｂ】
2020129745.tif 000010
【図８】
2020129745.tif 000011
【図９】
2020129745.tif 000012
【図１０】
2020129745.tif 000013
【図１１】
2020129745.tif 000014
【図１２】
2020129745.tif 000015
【図１３】
2020129745.tif 000016
【図１４】
2020129745.tif 000017
【図１５】
2020129745.tif 000018
【図１６】
2020129745.tif 000019